(57)【要約】【課題】脱落が避けられ、配線およびコネクタを確実に保護し、これを簡便に実現する床暖房製品を提供すること。【解決手段】基材３に配設された配線７ａ、７ｂ、１１およびコネクタ８を覆うカバー部材１３が着脱自在に配設された床暖房製品１において、カバー部材は、難燃性を有する板体１４と、２本以上の脚部１５とを有し、脚部が基材に圧入されて取り付けられるとともに、取り外し可能とされている。【選択図】図１
2010078222.tif 000002
【特許請求の範囲】
【請求項１】
基材に配設された配線およびコネクタを覆うカバー部材が着脱自在に配設された床暖房製品において、カバー部材は、難燃性を有する板体と、２本以上の脚部とを有し、脚部が基材に圧入されて取り付けられるとともに、取り外し可能とされていることを特徴とする床暖房製品。
【請求項２】
脚部は凹凸を有する棒状であり、その凹凸に対応する凹凸を有する筒状の受け材が基材に埋設されていることを特徴とする請求項１に記載の床暖房製品。
【請求項３】
脚部は、先端部に向かって鋭利な爪状であり、かつ板体の隅部の裏面側に形成された溝によって折り曲げ自在に板体に連結され、脚部の先端部が、基材に食い込み可能とされていることを特徴とする請求項１に記載の床暖房製品。
【発明の詳細な説明】
【技術分野】
【０００１】
本発明は、床暖房に用いられる床材を兼ねた床暖房製品に関する。
【背景技術】
【０００２】
室内暖房の一つの方式として床暖房が広く採用されている。床暖房では、ニクロム線などのヒータ線や面状ヒータなどの電気ヒータが基材に組み込まれた、木質系床材と同様な外観を有する床暖房製品が用いられている。この床暖房製品を床材として敷設し、表面側に配設された化粧材により床面を形成するとともに、縦横に電気的に接続して各床暖房製品の電気ヒータへの電力の供給を可能にしている。
【０００３】
下記特許文献１に記載されているように、床暖房製品には、輸送および搬送時、また、施工時に、基材に配設された配線およびコネクタを保護するために、着脱自在な保護カバーが取り付けられたものが知られている。
【特許文献１】特開平１１−８３０５４号公報
【発明の開示】
【発明が解決しようとする課題】
【０００４】
しかしながら、特許文献１に記載された保護カバーは、基材の底部に取り付けられた薄い樹脂状シートに、開けられた窓を塞ぐようにして取り付けられる。このため、突起によって掛止されるようにしていても、樹脂状シートは、薄く、強度が十分でなく、作業中に外力が加わると、保護カバーが脱落することが避けられない。また、保護カバーの取り付けのために、樹脂状シートにはスライド溝や係止溝を形成する加工が必要とされる。
【０００５】
本発明は、以上のとおりの事情に鑑みてなされたものであり、脱落が避けられ、配線およびコネクタを確実に保護し、これを簡便に実現する床暖房製品を提供することを課題としている。
【課題を解決するための手段】
【０００６】
本発明は、上記の課題を解決するために、以下の特徴を有している。
【０００７】
第１の発明は、基材に配設された配線およびコネクタを覆うカバー部材が着脱自在に配設された床暖房製品において、カバー部材は、難燃性を有する板体と、２本以上の脚部とを有し、脚部が基材に圧入されて取り付けられるとともに、取り外し可能とされていることを特徴としている。
【０００８】
第２の発明は、上記第１の発明の特徴において、脚部は凹凸を有する棒状であり、その凹凸に対応する凹凸を有する筒状の受け材が基材に埋設されていることを特徴としている。
【０００９】
第３の発明は、上記第１の発明の特徴において、脚部は、先端部に向かって鋭利な爪状であり、かつ板体の隅部の裏面側に形成された溝によって折り曲げ自在に板体に連結され、脚部の先端部が、基材に食い込み可能とされていることを特徴としている。
【発明の効果】
【００１０】
上記第１の発明によれば、難燃性を有する板体と、２本以上の脚部とを有するカバー部材は、脚部が基材に圧入されて取り付けられるとともに、取り外し可能とされているため、基材に十分な強度をもってしっかりと取り付けられる。したがって、床暖房製品の輸送および搬送時、また、施工時などにおいても脱落することはほとんどなく、配線およびコネクタを確実に保護することができる。また、カバー部材の構成および基材への取り付け方が簡略化されており、配線およびコネクタの確実な保護を簡便に実現することができる。
【００１１】
上記第２の発明によれば、上記第１の発明の効果に加え、カバー部材の取り付けと取り外しが容易に実現される。
【００１２】
上記第３の発明によれば、上記第２の発明と同様に、上記第１の発明の効果に加え、カバー部材の取り付けと取り外しが容易に実現される。
【発明を実施するための最良の形態】
【００１３】
図１は、本発明の床暖房製品の第１実施形態を示した裏面図である。図２は、図１に示した床暖房製品のカバー部材の周辺を拡大して示した要部斜視図である。
【００１４】
床暖房製品１は、木質系の床材２を兼ねており、基材３の表面側に化粧材が配設され、複数枚を縦横に敷設することによって床を形成し、化粧材の表面により床面を形成可能としている。床暖房製品１は、略長方形状の形状を有し、基材３において隣接して略直交する一組の短辺および長辺側には雄実４が、他の一組には雌実５が形成されている。雄実４と雌実５とを嵌め込むなどによって組み合わせ、隣接する床暖房製品１の間に隙間が生じることなく、平滑な床面が形成されるようにしている。
【００１５】
基材３には、合板、ＭＤＦやパーティクルボードなどの成形板などの木質板が採用される。基材３の裏面側には、電気ヒータ６、配線７ａ、７ｂおよびコネクタ８が組み込まれる部分がＮＣ（Numerical Control machining）加工（数値制御による機械加工）によって切削され、凹部および配線溝９が高い加工精度で形成されている。基材３において長手方向の一端部を除いた部分に形成された凹部に電気ヒータ６が埋設され、基材３に組み込まれ、この凹部は薄層合板１０によって蓋され、薄層合板１０は接着剤によって基材３に接着されている。電気ヒータ６は、ニクロム線などのヒータ線を蛇行配線したものやＰＴＣヒータなどの面状ヒータなどの従来公知のものを含む各種のものが採用される。
【００１６】
コネクタ８は、電源から電気ヒータ６に電力を供給するものであり、電気ヒータ６と接続配線１１によって電気的に接続され、また、隣接する床暖房製品１の間を電気的に接続する送り配線としての配線７ａ、７ｂが電気的に接続されている。コネクタ８は、基材３の裏面側において電気ヒータ６が埋設される凹部が形成されていない長手方向の一端部に形成された凹部１２に挿入されている。凹部１２は、コネクタ８が電気ヒータ６の近辺に配置されるように、電気ヒータ６が埋設される凹部の近辺で、基材３の一長辺側に寄せて形成されている。凹部１２に挿入されるコネクタ８は基材３に固定されてはいない。コネクタ８は凹部１２に挿入されているだけである。
【００１７】
このようにコネクタ８を電気ヒータ６の近辺に配置することによって、接続配線１１をなるべく短くすることができ、床暖房製品１の施工の際に接続配線１１の垂れ下がりを抑えることができ、配線不良などの発生を抑制することができる。
【００１８】
送り配線としての配線７ａ、７ｂは、基材３の短辺方向に延び、基材３の長辺から外側に突出可能な長さを有している。上記のとおり、コネクタ８が、基材３の一長辺側に偏って配置されるので、配線７ａは長く、配線７ｂは短く、両者の長さは異なっている。隣接する２枚の床暖房製品１の間において、一方の床暖房製品１に配設された配線７ａは、他方の床暖房製品１に配設された配線７ｂと電気的に接続され、また、一方の床暖房製品１に配設された配線７ｂは、他方の床暖房製品１に配設された配線７ａと電気的に接続される。このような長短２種類の配線７ａ、７ｂの相互の接続を容易に行うために、コネクタ８の接続端と反対側に位置する配線７ａ、７ｂの端部には、雌雄型などとすることのできるコネクタが配設されている。短い方の配線７ｂの長さは隣接する床暖房製品１に届く程度とされ、長さ調整機能は専ら長い方の配線７ａが担うようにしている。そのため、配線７ａは、配線７ａ、７ｂの伸び縮みなども考慮して隣接する床暖房製品１との間隔より十分長くしている。このため、隣接する床暖房製品１の間での電気接続において余剰分となる配線７ａを収容するために、配線７ａに対応する配線溝９は途中において幅が拡大された拡大部９ａを備えている。
【００１９】
このような配線７ａ、７ｂも基材３に固定されてはいない。配線溝９に挿入されているだけである。
【００２０】
そして、床暖房製品１には、上記のとおりにして基材３に配設されたコネクタ８とその周辺に位置する配線７ａ、７ｂおよび接続配線１１とに被さるようにして覆い、それらを保護するカバー部材１３が配設されている。カバー部材１３は、略矩形で薄板状の板体１４と、板体１４の四隅部において裏面側に向かって延びる４本の脚部１５とを有している。
【００２１】
板体１４は、コネクタ８の端子部分において発生することのある火花などや発熱などによって発火するのを抑制するために、難燃性を有する材料から形成されている。板体１４を形成可能な難燃性を有する材料としては、窯業材料、金属材料、ガラス、難燃性樹脂材料などが例示される。難燃性樹脂材料には、非ハロゲン化難燃樹脂類、難燃ＡＢＳ樹脂、難燃ポリプロピレンなどを候補として挙げることができる。また、板体１４は難燃性を有していればよいので、基材としては難燃性に欠けても難燃処理が施されているものであってもよい。たとえば、不燃材料または難燃性樹脂を表面または内部に含浸させた紙材、シート材、木質材などを採用することができる。不燃材料または難燃性樹脂の含浸は、塗布、貼着などに替えることもできる。
【００２２】
このような板体１４は、施工などの際に基材３の裏面側が下を向くとき、凹部１２に挿入されたコネクタ８を裏面において載せることができ、コネクタ８およびその周辺の配線７ａ、７ｂおよび接続配線１１を安定に支持する。
【００２３】
脚部１５は、丸棒状のピンであり、脚部１５には、上下２箇所において外周面から側方に突出する鍔状の突起１６が配設されている。突起１６の配設によって脚部１５は凹凸を有するものとなっている。脚部１５の材質については特に制限はなく、所要の強度、配設の容易さなどを考慮して適当な材料から形成することができる。一般には金属材料、樹脂材料などから形成することができる。板体１４との接続にも特に制限はなく、材質などに応じ、接続性を考慮して、接着、嵌め込み、ねじ込みなどの各種の接続形式を採用することができる。また、脚部１５の形状は丸棒状以外であってもよく、棒状とする場合には角棒状などとすることができる。突起１６は、脚部１５の外周面に沿って配設されるばかりでなく、放射状に配設されたものとすることもできる。また、突起１６は、ばねなどを内蔵し、伸縮可能としたピンより細い補助ピンに替えることができ、この場合、補助ピンを脚部１５に直交させて差し込み、ピンに固定することができる。さらに、脚部１５の凹凸は、突起１６の配設に替え、外周面部に凹所を形成することによっても実現可能である。
【００２４】
このような脚部１５の本数は、板体１４の大きさや形状、カバー部材１３の基材３への取付強度や取付性などに応じて適宜決めることができる。基本的には脚部１５の本数は２本以上とする。
【００２５】
一方、基材３の裏面部には、カバー部材１３の脚部１５に対応する位置に円柱状の穴１７が形成されている。穴１７の直径は、脚部１５の突起１６における最大直径に対応させている。穴１７の内部には、脚部１５の受けとして機能する円筒状の受け材１８が埋設されている。受け材１８は、脚部１５の凹凸に対応して上下２箇所に内径が他の部分より小さい小径部１９を有している。小径部１９の内径は、脚部１５において突起１６が配設されていない、凹凸における凹部に対応するピン自体の直径に略一致させている（ただし、ピン自体の直径より小さくはない）。このような小径部１９は、上下対称に配置された円錐面２０によって形成されている。小径部１９を除く受け材１８の内径は、脚部１５の突起１６における最大直径に略一致させている（ただし、最大直径より小さくはない）。
【００２６】
受け材１８の材質については特に制限はなく、金属材料、樹脂材料などの成形容易な材料などから適宜選択される。大きさおよび形状については、脚部１５に対応して決めることができる。円柱状の他、円錐状、角柱状、角錐状などとすることができる。小径部１９の個数および位置についても脚部１５に対応して決めることができる。受け材１８の穴１７の内部への埋設には、圧入、嵌入、挿入とともに接着剤による接着などの適宜な方式を採用することができる。
【００２７】
カバー部材１３は、上記のとおりの脚部１５を受け材１８の内部に差し込み、脚部１５と受け材１８の相互間において凹凸が嵌め合わされ、すなわち、脚部１５における凹部に受け材１８の小径部１９が嵌まり込むことによって、基材３に圧入されて取り付けられる。鍔状の突起１６は、脚部１５の差し込みにともなって受け材１８の内部を下方に移動し、小径部１９においては潜在的に有する弾性によって変形する。そして、下側の突起１６が下側の小径部１９より下の領域まで移動し、また、上側の突起１６が上側の小径部１９と下側の小径部１９との間の領域に移動して脚部１５と受け材１８の相互間において凹凸が嵌め合わされる。このため、カバー部材１３は、基材３に対して十分な強度をもってしっかりと取り付けられる。床暖房製品１の輸送および搬送時、また、施工時などにおいても、カバー部材１３は、基材３から脱落することはほとんどなく、コネクタ８とその周辺の配線７ａ、７ｂおよび接続配線１１を確実に保護することができる。施工などの際に基材３の裏面側が下を向くとき、凹部１２に挿入されたコネクタ８を板体１４の裏面において載せることができ、コネクタ８とその周辺の配線７ａ、７ｂおよび接続配線１１を安定に支持することができる。
【００２８】
また、カバー部材１３の構成および基材３への取り付け方は簡略化されており、コネクタ８およびその周辺の配線７ａ、７ｂおよび接続配線１１の確実な保護を簡便に実現することができる。しかも、カバー部材１３は、上方に引き上げることによって脚部１５を受け材１８から引き抜くことができ、基材３からの取り外しが可能である。配線７ａ、７ｂの接続作業などの際には、そのようにしてカバー部材１３を基材３から一旦取り外した後、再び取り付けることができる。カバー部材１３は、基材３に対し着脱自在であり、カバー部材１３の取り付けおよび取り外し作業は容易に実現される。
【００２９】
図３は、本発明の床暖房製品の第２実施形態についてカバー部材の周辺を拡大して示した要部斜視図である。
【００３０】
第２実施形態において、カバー部材１３が基材３に配設された状態の床暖房製品１の裏面図は図１と同じであるので、図１を代用する。また、図３において第１実施形態と共通する部分には同一の符号を付し、第２実施形態についての以下の説明では省略する。
【００３１】
第２実施形態では、基材３に形成された円形穴２１においてのみ第１実施形態と相違している。円形穴２１は、丸棒状のピンである、カバー部材１３の脚部１５に対応した円柱状、円錐状などの断面円形の穴であり、基材３の裏面側に形成されている。円形穴２１の穴径Ｒは、脚部１５の外径の最大値である、凸部に相当する突起１６の最大直径ｒｍａｘより小さく、脚部１５の外径の最小値である、凹部に相当するピン自体の直径ｒｍｉｎより大きい。
【００３２】
したがって、床暖房製品１では、脚部１５が円形穴２１に差し込まれるにつれて、脚部１５における鍔状の突起１６が、潜在的に有する弾性によって変形し、円形穴２１の内部を下方に移動する。上下２つの突起１６が円形穴２１の内部に入り込むと、脚部１５は基材３に圧入された状態となり、カバー部材１３は、基材３に対して十分な強度をもってしっかりと取り付けられる。床暖房製品１の輸送および搬送時、また、施工時などにおいても、カバー部材１３は、基材３から脱落することはほとんどなく、コネクタ８とその周辺の配線７ａ、７ｂおよび接続配線１１を確実に保護することができる。施工などの際に基材３の裏面側が下を向くとき、凹部１２に挿入されたコネクタ８を板体１４の裏面において載せることができ、コネクタ８とその周辺の配線７ａ、７ｂおよび接続配線１１を安定に支持することができる。
【００３３】
また、第２実施形態においても、カバー部材１３の構成および基材３への取り付け方は簡略化されており、コネクタ８とその周辺の配線７ａ、７ｂおよび接続配線１１の確実な保護を簡便に実現することができる。しかも、カバー部材１３は、上方に引き上げることによって脚部１５を円形穴２１から引き抜くことができ、基材３からの取り外しが可能である。配線７ａ、７ｂの接続作業などの際には、そのようにしてカバー部材１３を基材３から一旦取り外した後、再び取り付けることができる。カバー部材１３は、基材３に対し着脱自在であり、しかも、カバー部材１３の取り付けおよび取り外し作業は容易に実現される。
【００３４】
このように、第１実施形態と同様な効果が第２実施形態によっても実現される。
【００３５】
図４は、本発明の床暖房製品の第３実施形態についてカバー部材の周辺を拡大して示した要部斜視図である。図５は、図４に示した床暖房製品におけるカバー部材を拡大して示した要部斜視図である。
【００３６】
第３実施形態において、カバー部材１３が基材３に配設された状態の床暖房製品１の裏面図は図１と同じであるので、図１を代用する。また、図４および図５において第１実施形態および第２実施形態と共通する部分には同一の符号を付し、第３実施形態についての以下の説明では省略する。
【００３７】
第３実施形態では、カバー部材１３の脚部２２の構成が第１実施形態および第２実施形態と相違し、この相違にともない基材３の構成が第１実施形態および第２実施形態と相違している。板体１４の四隅部に配設された４本の脚部２２は、いずれも先端部に向かって鋭利な爪状であり、板体１４の隅部の裏面側に形成された２つのＶ字溝２３によって、脚部２２は、いずれも図５図中に示した矢印方向に折り曲げ自在に連結されている。２つのＶ字溝２３は互いに平行に配置されている。なお、Ｖ字溝２３は、断面が他の形状を有する溝、たとえばＵ字溝などに替えることもできる。脚部２２を折り曲げ自在とする限り、溝の形状については特に制限されない。また、溝の本数も２本に限定されることはなく、脚部２２の折り曲げやすさなどを考慮して本数を適宜決めることができる。
【００３８】
床暖房製品１では、脚部２２をＶ字溝２３において板体１４の裏面側に向かって折り曲げ、基材３に差し込むと、脚部２２の先鋭な先端部２２ａが基材３の裏面部に食い込む。基材３は、上記のとおりの木質板であるため、脚部２２の先端部２２ａの食い込みは実現可能である。脚部２２全体または先端部２２ａのみの材質を、基材３との硬度の関係などを考慮して適宜選択することによって、脚部２２の先端部２２ａの基材３への食い込みを容易に実現することができる。このように脚部２２の先端部２２ａが基材３の裏面部に食い込むことによって、脚部２２は基材３に圧入され、カバー部材１３が基材３に取り付けられる。
【００３９】
カバー部材１３は、基材３に対して十分な強度をもってしっかりと取り付けられる。床暖房製品１の輸送および搬送時、また、施工時などにおいても、カバー部材１３は、基材３から脱落することはほとんどなく、コネクタ８およびその周辺の配線７ａ、７ｂおよび接続配線１１を確実に保護することができる。施工などの際に基材３の裏面側が下を向くとき、凹部１２に挿入されたコネクタ８を板体１４の裏面において載せることができ、コネクタ８およびその周辺の配線７ａ、７ｂおよび接続配線１１を安定に支持することができる。
【００４０】
また、第３実施形態においても、カバー部材１３の構成および基材３への取り付け方は簡略化されており、コネクタ８とその周辺の配線７ａ、７ｂおよび接続配線１１の確実な保護を簡便に実現することができる。しかも、カバー部材１３は、第１実施形態および第２実施形態と同様に、上方に引き上げることによって脚部２２を基材３から引き抜くことができ、基材３からの取り外しが可能である。配線７ａ、７ｂの接続作業などの際には、そのようにしてカバー部材１３を基材３から一旦取り外した後、再び取り付けることができる。カバー部材１３は、基材３に対し着脱自在であり、しかも、カバー部材１３の取り付けおよび取り外し作業は容易に実現される。
【００４１】
このように、第１実施形態および第２実施形態と同様な効果が第３実施形態によっても実現される。
【００４２】
その上第３実施形態では、配線７ａ、７ｂの接続作業などの際に、カバー部材１３を取り外した後、脚部２２は、Ｖ字溝２３において折り曲げ可能であるため、脚部２２を板体１４の表面側に折り返すこともできる。このように折り返すと、脚部２２を放射状に広げた状態にしてカバー部材１３を適当な場所に置くことができる。先鋭な先端部２２ａによる配線７ａ、７ｂなどの損傷などを抑えることができる。
【図面の簡単な説明】
【００４３】
【図１】本発明の床暖房製品の第１実施形態を示した裏面図である。
【図２】図１に示した床暖房製品のカバー部材の周辺を拡大して示した要部斜視図である。
【図３】本発明の床暖房製品の第２実施形態についてカバー部材の周辺を拡大して示した要部斜視図である。
【図４】本発明の床暖房製品の第３実施形態についてカバー部材の周辺を拡大して示した要部斜視図である。
【図５】図４に示した床暖房製品におけるカバー部材を拡大して示した要部斜視図である。
【符号の説明】
【００４４】
１  床暖房製品
３  基材
７ａ、７ｂ  配線
８  コネクタ
１１  接続配線
１３  カバー部材
１４  板体
１５  脚部
１８  受け材
２１  円形穴
２２  脚部
２２ａ  先端部
【図１】
2010078222.tif 000003
【図２】
2010078222.tif 000004
【図３】
2010078222.tif 000005
【図４】
2010078222.tif 000006
【図５】
2010078222.tif 000007